(57)【特許請求の範囲】
【請求項１】
第１側に形成される第１電極及び第２電極を有し、前記第１側に対向する第２側に屈曲された部分を有するランプを有したランプユニットと、
前記屈曲された部分に対応する領域及び前記第１電極と前記第２電極に対応する領域のうち、少なくとも一つの領域に設けられ、前記第１電極及び第２電極又は前記屈曲された部分を被覆するカバー部材を有したカバー手段と、
前記ランプユニットからの光を用いて画像をディスプレイする画像表示パネルを収容するためのパネル支持部材と、
前記ランプを固定させるランプ支持部材と、
を含み、前記カバー部材は、前記パネル支持部材と一体化されていることを特徴とするバックライトアセンブリ。
【請求項２】
前記ランプ支持部材は、前記ランプの屈曲された部分に設けられることを特徴とする請求項１記載のバックライトアセンブリ。
【請求項３】
前記ランプユニットは、複数のランプを含むことを特徴とする請求項１記載のバックライトアセンブリ。
【請求項４】
前記複数のランプは、屈曲部においてＵ字又はＣ字形状を有することを特徴とする請求項３記載のバックライトアセンブリ。
【請求項５】
第１辺乃至第４辺を有し、前記複数のランプの下部に位置して前記複数のランプを収納する収納容器を更に含むことを特徴とする請求項３記載のバックライトアセンブリ。
【請求項６】
前記カバー手段は、
前記収納容器の第１辺に接するように設けられ、前記複数のランプの屈曲された部分が挿入される第１挿入開口群を有する第１カバー部材と、
前記収納容器の第２辺に接するように設けられ、前記複数のランプの前記第１及び第２電極が挿入される第２挿入開口群を有する第２カバー部材と、
を含み、前記第１及び第２カバー部材は、前記パネル支持部材と一体化されていることを特徴とする請求項５記載のバックライトアセンブリ。
【請求項７】
前記第１辺及び第２辺は、前記第３辺及び第４辺に対して相対的に長さが長い長辺であることを特徴とする請求項６記載のバックライトアセンブリ。
【請求項８】
前記第１辺及び第２辺は、前記第３辺及び第４辺に対して相対的に長さが短い短辺であることを特徴とする請求項６記載のバックライトアセンブリ。
【請求項９】
前記ランプ支持部材は、前記複数のランプの直径より大きい高さを有することを特徴とする請求項３記載のバックライトアセンブリ。
【請求項１０】
前記カバー部材は、前記ランプの屈曲された部分が挿入される挿入開口群を含むことを特徴とする請求項１記載のバックライトアセンブリ。
【請求項１１】
前記ランプユニットの下部に設けられ漏洩する光を反射させる反射板を更に含み、
前記ランプ支持部材は、
前記ランプを固定させる支持本体と、
前記支持本体の底部から所定の広さを有するように延びるよう形成され、前記支持本体の前記ランプ反射板との接触面積を増加させる第１固定部と、
前記第１固定部の底面から突出し前記第１固定部を前記反射板に固定させる第２固定部と、を含むことを特徴とする請求項５記載のバックライトアセンブリ。
【請求項１２】
前記支持本体には所定の直径を有するホールが形成され、前記ホールの一側が開口されたことを特徴とする請求項１１記載のバックライトアセンブリ。
【請求項１３】
前記開口の直径は、前記ランプの直径とほぼ同じであることを特徴とする請求項１２記載のバックライトアセンブリ。
【請求項１４】
前記反射板には、第１貫通ホールが形成され、
前記第２固定部は、前記第１貫通ホールに挿入され固定される固定ロッドであることを特徴とする請求項１１記載のバックライトアセンブリ。
【請求項１５】
前記収納容器は、前記第１貫通ホールを貫通した前記第２固定部が挿入される第２貫通ホールを含むことを特徴とする請求項１４記載のバックライトアセンブリ。
【請求項１６】
前記ランプから発生された光を反射するために、前記ランプユニットの下部に配置された反射板を更に含み、
前記ランプ支持部材は、
前記ランプを前記反射板に支持させる支持本体と、
前記支持本体の上面の一側に形成され前記ランプを固定させる固定ホルダーと、
前記支持本体の背面から突出し前記支持本体を前記反射板に固定させる固定部と、を含むことを特徴とする請求項１記載のバックライトアセンブリ。
【請求項１７】
前記ランプ支持部材は、前記支持本体の上面の他側に形成され前記カバー部材からの衝撃を緩和する支持ホーンを更に含むことを特徴とする請求項１６記載のバックライトアセンブリ。
【請求項１８】
前記ランプユニットの上部に設けられ、前記ランプユニットから発生された光を拡散させる拡散部材を更に含み、
前記ランプ支持部材は、
前記ランプを前記反射板に支持させる支持本体と、
前記支持本体の上面の一側に形成され前記ランプを固定させる固定ホルダーと、
前記支持本体の上面の他側に形成され前記ランプユニットと前記拡散部材との間隔を一定に維持させる支持ホーンと、
前記支持本体の背面から突出し前記支持本体を前記反射板に固定させる固定部と、を含むことを特徴とする請求項１記載のバックライトアセンブリ。
【請求項１９】
前記ランプ支持部材は、弾性材質で形成されることを特徴とする請求項１記載のバックライトアセンブリ。
【請求項２０】
前記第１及び第２電極には、正極性電圧及び負極性電圧がそれぞれ印加されることを特徴とする請求項１記載のバックライトアセンブリ。
【請求項２１】
前記第１及び第２電極には、正極性電圧及びグラウンド電圧（０Ｖ）がそれぞれ印加されることを特徴とする請求項１記載のバックライトアセンブリ。
【請求項２２】
第１側に形成される第１電極及び第２電極を有し、前記第１側に対向する第２側に屈曲された部分を有するランプを有したランプユニットと、
前記屈曲された部分に対応する領域に設けられ、前記屈曲された部分が挿入される第１挿入開口を有する第１カバー部材と、
前記第１及び第２電極に対応する領域に設けられ、前記第１及び第２電極が挿入される第２挿入開口を有する第２カバー部材と、
前記ランプユニットからの光を用いて画像をディスプレイする画像表示パネルを収容するためのパネル支持部材と、
前記ランプの屈曲された部分を固定させるランプ支持部材と、
を含み、前記第１及び第２カバー部材は、前記パネル支持部材と一体化されていることを特徴とするバックライトアセンブリ。
【請求項２３】
前記ランプユニット、前記第１及び第２カバー部材、及び前記ランプ支持部材を収納する収納容器を更に含み、
前記ランプ支持部材は、
前記ランプを固定させる支持本体と、
前記支持本体の底部から所定の広さを有するように延びるよう形成され、前記支持本体の前記ランプ反射板との接触面積を増加させる第１固定部と、
前記第１固定部の底面から突出し前記第１固定部を前記反射板に固定させる第２固定部と、を含むことを特徴とする請求項２２記載のバックライトアセンブリ。
【請求項２４】
前記支持本体には所定の直径を有するホールが形成され、前記ホールの一側が開口されたことを特徴とする請求項２３記載のバックライトアセンブリ。
【請求項２５】
第１側に形成される第１電極及び第２電極を有し、前記第１側に対向する第２側に屈曲された部分を有する複数のランプと、
第１辺乃至第４辺で構成され、前記複数のランプの下部に位置して前記複数のランプを収納する収納容器と、
前記収納容器の前記第１辺に接するように設けられ、前記複数のランプのうち、一部のランプの前記第１及び第２電極が挿入される第１挿入開口群を有する第１カバー部材と、
前記第１辺に対向する前記第２辺に接するように設けられ、前記複数のランプのうち、残りのランプの前記第１及び第２電極が挿入される第２挿入開口群を有する第２カバー部材と、
前記ランプユニットからの光を用いて画像をディスプレイする画像表示パネルを収容するためのパネル支持部材と、
前記複数のランプの屈曲された部分を固定させるランプ支持部材と、を含み、
前記第１及び第２カバー部材は、前記パネル支持部材と一体化されていることを特徴とするバックライトアセンブリ。
【請求項２６】
前記第１辺及び第２辺は、前記第３辺及び第４辺に対して相対的に長さが長い長辺であることを特徴とする請求項２５記載のバックライトアセンブリ。
【請求項２７】
前記第１辺及び第２辺は、前記第３辺及び第４辺に対して相対的に長さが短い短辺であることを特徴とする請求項２５記載のバックライトアセンブリ。
【請求項２８】
前記ランプの下部に設けられ、漏洩する光を反射させる反射板を更に含み、
前記ランプ支持部材は、
前記ランプを固定させる支持本体と、
前記支持本体の底部から所定の広さを有するように延びるよう形成され、前記支持本体の前記ランプ反射板との接触面積を増加させる第１固定部と、
前記第１固定部の底面から突出し前記第１固定部を前記反射板に固定させる第２固定部と、を含むことを特徴とする請求項２５記載のバックライトアセンブリ。
【請求項２９】
前記支持本体には所定の直径を有するホールが形成され、前記ホールの一側が開口されたことを特徴とする請求項２８記載のバックライトアセンブリ。
【請求項３０】
第１側に形成される第１及び第２電極を有し、前記第１側に対向する第２側に屈曲された部分を有するランプを有するランプユニット、前記屈曲された部分に対応する領域及び前記第１及び第２電極に対応する領域のうち、少なくとも一つの領域に設けられ、前記第１電極及び第２電極又は前記屈曲された部分を被覆するカバー部材、前記ランプを固定させるランプ支持部材、前記ランプからの光を拡散させる拡散板、前記ランプからの光を用いて画像をディスプレイする画像表示パネルを収容するためのパネル支持部材を含み、前記カバー部材は、前記パネル支持部材と一体化されているバックライトアセンブリと、
前記バックライトアセンブリから発生された光によって画像が表示される有効表示領域及び前記有効表示領域の外郭を囲む非有効表示領域を有するディスプレイユニットと、を含む表示装置。
【請求項３１】
前記ランプ支持部材は、前記ランプユニットの屈曲された部分に設けられたことを特徴とする請求項３０記載の表示装置。
【請求項３２】
前記ランプユニットは、屈曲部においてＵ字又はＣ字形状を有する複数のランプを含むことを特徴とする請求項３０記載の表示装置。
【請求項３３】
前記カバー部材は、前記ランプの折曲された部分が挿入される挿入開口群を含むことを特徴とする請求項３０記載の表示装置。
【請求項３４】
前記カバー部材は、前記非有効表示領域に対応するように形成及び位置決めされたことを特徴とする請求項３０記載の表示装置。
【請求項３５】
前記バックライトアセンブリは、前記ランプユニット下部に設けられ漏洩する光を反射させる反射板を更に含み、
前記ランプ支持部材は、
前記ランプを固定させる支持本体と、
前記支持本体の底部からの所定の広さを有するように延びるよう形成され、前記支持本体の前記ランプ反射板との接触面積を増加させる第１固定部と、
前記第１固定部の底面から突出し前記第１固定部を前記反射板に固定させる第２固定部と、を含むことを特徴とする請求項３０記載の表示装置。
【請求項３６】
前記支持本体には所定の直径を有するホールが形成され、前記ホールの一側が開口されたことを特徴とする請求項３５記載の表示装置。
【請求項３７】
前記反射板には貫通ホールが形成され、
前記第２固定部は、前記第１固定部の底面から突出し前記貫通ホールに挿入され固定される固定ロッドであることを特徴とする請求項３５記載の表示装置。
【請求項３８】
前記収納容器は第２ホールを含み、前記第２固定部が前記第１及び第２ホールに挿入されることを特徴とする請求項３７記載の表示装置。
【発明の詳細な説明】
【技術分野】
【０００１】
本発明は、バックライトアセンブリ及びこれを有する表示装置に関し、より詳細には、ランプの移動を防止して、表示品質を向上させるバックライトアセンブリ及びこれを有する表示装置に関する。
【背景技術】
【０００２】
一般に、表示装置とは、情報処理装置で処理された結果データをユーザが画像で認識できるようにする装置を言う。前記表示装置の一つである液晶表示装置は、印加される電界によって光透過度が変更される液晶を用いて画像をディスプレイする。
【０００３】
前記液晶表示装置は、自発的に光を発散することができず、外部から入射される光の量を調節する受光素子を用いるので、別の光源、即ち、バックライトアセンブリを必要とする。ここで、バックライトアセンブリは、光源の位置によってエッジ型と直下型とに区分される。
【０００４】
前記エッジ型バックライトアセンブリは、導光板の側面に前記光源であるランプユニットが設けられる構造を有する。従って、前記エッジ型バックライトアセンブリは、主にラップトップ型及びデスクトップ型コンピュータ等の比較的ディスプレイサイズが小さい液晶表示装置に適用される。
【０００５】
一方、前記直下型バックライトアセンブリは、液晶表示装置のサイズが大型化されるに従って重要性が増しつつ開発された構造であって、光を拡散させる拡散プレートの下部に一つ以上のランプを並べて配列させて、液晶表示パネルの全面に光を照射する。このような直下型バックライトアセンブリは、前記したエッジ型バックライトアセンブリと比較して、多数のランプを用いることができるので、高い輝度を確保することができるという長所がある。
【０００６】
前記直下型バックライトアセンブリは、多数の一文字型ランプが並列で配列された構造を有する。この際、前記一文字型ランプは、多数の固定部材によって固定される。即ち、前記一文字型ランプは、両端部に隣接した領域にそれぞれ設けられる少なくとも２個以上の固定部材によって固定される。
【０００７】
従って、多数の一文字型ランプが並列で配列されるバックライトアセンブリは、多数の固定部材を必要とする。例えば、６個の一文字型ランプが並列で配列された場合には、少なくとも１２個以上の固定部材を必要とする。
【０００８】
このように、前記一文字型ランプを有するバックライトアセンブリは、多数の固定部材を必要とするので、バックライトアセンブリの原価が上昇する問題点がある。
【発明の開示】
【発明が解決しようとする課題】
【０００９】
従って、本発明は、前記した従来の問題点を解決するためのもので、本発明の目的は、少ない数の固定部材によってランプの移動を防止するバックライトアセンブリを提供することにある。
【００１０】
本発明の他の目的は、前記したバックライトアセンブリを有する表示装置を提供することにある。
【課題を解決するための手段】
【００１１】
前述した目的を達成するための一特徴によると、ランプユニットのランプは第１側に形成される第１電極及び第２電極を有し、第１側に対向する第２側に屈曲された部分を有し、カバー部材は屈曲された部分に対応する領域及び第１電極と第２電極に対応する領域のうち、少なくとも一つの領域に設けられ、パネル支持部材はランプユニットからの光を用いて画像をディスプレイする画像表示パネルを収容し、ランプ支持部材はランプを固定させる。
【００１２】
前述した目的を達成するための他の一特徴によると、ランプユニットのランプは第１側に形成される第１電極及び第２電極を有し、第１側に対向する第２側に屈曲された部分を有し、第１カバー部材は屈曲された部分に対応する領域に設けられ屈曲された部分が挿入される第１挿入開口を有し、第２カバー部材は第１及び第２電極に対応する領域に設けられ第１及び第２電極が挿入される第２挿入開口を有し、パネル支持部材はランプユニットからの光を用いて画像をディスプレイする画像表示パネルを収容し、ランプ支持部材はランプの屈曲された部分を固定させる。
【００１３】
前述した目的を達成するための更に他の一特徴によると、複数のランプは第１側に形成される第１電極及び第２電極を有し、第１側に対向する第２側に屈曲された部分を有し、収納容器は第１辺乃至第４辺を有し、複数のランプの下部に位置して複数のランプを収納し、第１カバー部材は収納容器の第１辺に接するように設けられ、複数のランプのうち、一部のランプの第１及び第２電極が挿入される第１挿入開口群を有し、第２カバー部材は第１辺に対向する第２辺に接するように設けられ、複数のランプのうち、残りのランプの第１及び第２電極が挿入される第２挿入開口群を有し、ランプ支持部材は複数のランプの屈曲された部分を固定させる。
【００１４】
本発明の他の目的を達成するための特徴によると、第１側に形成される第１及び第２電極を有し、第１側に対向する第２側に屈曲された部分を有するランプを有したランプユニットと、屈曲された部分に対応する領域及び第１及び第２電極に対応する領域のうち、少なくとも一つの領域に設けられたカバー部材と、ランプユニットからの光を用いて画像をディスプレイする画像表示パネルを収容するためのパネル支持部材と、ランプの屈曲された部分を固定させるランプ支持部材を含み、ディスプレイユニットはバックライトアセンブリから発生された光によって画像が表示される有効表示領域及び前記有効表示領域の外郭を囲む非有効表示領域を有する。
【００１５】
このようなバックライトアセンブリ及びこれを有する表示装置によると、ランプ支持部材によって、１本で２個の一文字型ランプと同じ光を発生するＵ字又はＣ字形状のランプが固定されるので、外部からの衝撃等によってランプが移動し輝度が変わるか、又はランプ点灯に不良が生じるといった問題点を解決することができる。
【発明を実施するための最良の形態】
【００１６】
以下、本発明の好ましい実施例によるバックライトアセンブリ及び表示装置を添付図面を参照して詳細に説明する。
【００１７】
（第１実施例）
図１は、本発明の第１実施例によるバックライトアセンブリの分解斜視図である。
【００１８】
図１に示すように、本発明の第１実施例によるバックライトアセンブリは、ランプユニット１００、反射板２００、第１収納容器３００（以下、モールドフレーム）、拡散板４００、第２収納容器５００（以下、ボトムシャーシ）、第１カバー部材６００、及び第２カバー部材６１０を含む。
【００１９】
ここで、ランプユニット１００は、一端にホット電極（図示せず）が形成され、他端にコールド電極（図示せず）が形成され、光を発生する第１ランプ１１０、第２ランプ１２０及び第３ランプ１３０、第１ランプ１１０のホット電極及びコールド電極を囲む第１ランプホルダー１１２及び第２ランプホルダー１１４、第２ランプ１２０のホット電極及びコールド電極を囲む第３ランプホルダー１２２及び第４ランプホルダー１２４、第３ランプ１３０のホット電極及びコールド電極をそれぞれ囲む第５ランプホルダー１３２及び第６ランプホルダー１３４を含む。
【００２０】
ここで、第１乃至第３ランプ１１０、１２０、１３０は、前記ホット電極及びコールド電極が同じ側に形成される形状を有する。即ち、第１乃至第３ランプ１１０、１２０、１３０は、少なくとも２個以上の部分が曲線部分、即ち、曲線部分を有するＵ字又はＣ字形状を有するので、前記ホット電極及びコールド電極が同じ側に形成される。従って、第１乃至第３ランプ１１０、１２０、１３０のそれぞれは、一文字型ランプ２個を用いる効果を得ることができるので、第１乃至第３ランプ１１０、１２０、１３０によって一文字型ランプ６個を用いる効果を得ることができる。
【００２１】
図示の例では、第１乃至第３ランプ１１０、１２０、１３０はＣ字形状を有する。即ち、Ｃ字形状のランプは最初の屈曲部分と最後の屈曲部分が曲線で連結された形状を意味する。尚、Ｕ字形状のランプとは一文字形状の２個のランプにそれに対し垂直である直線部分が最初の曲線状屈曲部分と最後の曲線状屈曲部分によって連結されている形状を意味する。尚、本明細書においては記載の便宜上、最初の曲線状屈曲部から最後の曲線状屈曲部に亘る全域をも、まとめて曲線部分と称する場合もある。
【００２２】
又、ランプユニット１００は、第１ランプ１１０のホット電極及びコールド電極にそれぞれ連結される第１ランプワイヤー１１６及び第２ランプワイヤー１１８、第２ランプ１２０のホット電極及びコールド電極にそれぞれ連結された第３ランプワイヤー１２６及び第４ランプワイヤー１２８、第３ランプ１３０のホット電極及びコールド電極にそれぞれ連結された第５ランプワイヤー１３６及び第６ランプワイヤー１３８を含む。
【００２３】
ここで、第１ランプ１１０のホット電極及びコールド電極が同じ側に形成されるので、第１及び第２ランプワイヤー１１６、１１８は同じ長さを有し、第２ランプ１２０のホット電極及びコールド電極も同じ側に形成されるので、第３及び第４ランプワイヤー１２６、１２８も同じ長さを有する。又、第３ランプ１３０のホット電極及びコールド電極が同じ側に形成されるので、第５及び第６ランプワイヤー１３６、１３８は同じ長さを有する。
【００２４】
本発明の第１実施例では、Ｕ字又はＣ字形状のランプが３個構成される場合を例として説明したが、その他の多様な形態で構成することができる。
【００２５】
前記反射板２００は、ランプユニット１００の下部に設けられ、第１乃至第３ランプ１１０、１２０、１３０から発生された光のうち、下部に漏洩する光を反射させて上部に出射させる。ここで、反射板２００は、底面に対して所定の角度を有するように延長された第１傾斜面２２０及び第２傾斜面２３０を含む。
【００２６】
又、反射板２００上には、第１乃至第３ランプ１１０、１２０、１３０の移動を防止するランプ支持部材２１０ａ、２１０ｂ、２１０ｃが設けられている。前記ランプ支持部材２１０ａ、２１０ｂ、２１０ｃは、第１乃至第３ランプ１１０、１２０、１３０のホット電極及びコールド電極が設けられた側に対向する側に対応する反射板２００領域に設けられる。即ち、ランプ支持部材２１０ａ、２１０ｂ、２１０ｃは、最初の屈曲部分と最後の屈曲部分の中心に対応する領域の反射板２００に設けられる。この際、ランプ支持部材２１０ａ、２１０ｂ、２１０ｃは、第１乃至第３ランプ１１０、１２０、１３０と同じ個数である３個が設けられる。
【００２７】
図２は、図１に図示されたランプ支持部材を詳細に示す斜視図であり、図３は、図２のＩ−Ｉ’に沿って切断した断面図である。
【００２８】
図２及び図３を参照すると、ランプ支持部材２１０ａ、２１０ｂ、２１０ｃは、支持本体２１２及び支持本体２１２に形成された第１固定部２１４及び第２固定部２１６を含む。
【００２９】
ここで、支持本体２１２は、第１乃至第３ランプ１１０、１２０、１３０が変位をうけないように固定する役割を行う。又、第１及び第２固定部２１４、２１６は、支持本体２１２を反射板２００及びボトムシャーシ５００に固定させる役割を果たす。
【００３０】
前記支持本体２１２は、所定の厚さを有して長方形形状を有するように形成され、所定直径ｗ１を有するホール２１２ａを含む。前記ホール２１２ａの一側には、第１乃至第３ランプ１１０、１２０、１３０の屈曲部分の中心が挿入される開口部２１２ｂが形成される。従って、第１乃至第３ランプ１１０、１２０、１３０は、屈曲部分がランプ支持部材２１０ａ、２１０ｂ、２１０ｃの開口部２１２ｂを通じてホール２１２ａに挿入されることによって固定される。
【００３１】
ランプ支持部材２１０ａ、２１０ｂ、２１０ｃは、弾性を有する材質で形成されることが好ましい。例えば、ランプ支持部材２１０ａ、２１０ｂ、２１０ｃは、シリコン、ＰＥＴ（Ｐｏｌｙ  Ｅｔｈｙｌｅｎｅ  Ｔｅｒｅｐｈｔｅａｌａｔｅ）又はＰＭＭＡ等で形成される。
【００３２】
前記ホール２１２ａの直径ｗ１は、第１乃至第３ランプ１１０、１２０、１３０の外径Ｗ３と同じであるか、多少小さい。ここで、ホール２１２ａの直径Ｗ１は、第１乃至第３ランプ１１０、１２０、１３０の直径より多少小さく形成することが第１乃至第３ランプ１１０、１２０、１３０をより正確に固定させることができる。
【００３３】
又、開口部２１２ｂの形成幅Ｗ２は、第１乃至第３ランプ１１０、１２０、１３０の外径Ｗ３より小さい。しかし、ランプ支持部材２１０ａ、２１０ｂ、２１０ｃが前記したような弾性を有する材質で形成されるので、開口部２１２ｂの形成幅Ｗ２が容易に広がり、それによって第１乃至第３ランプ１１０、１２０、１３０が通過することができる。
【００３４】
前記第１固定部２１４は、支持本体２１２の底部で所定の広さを有し、両側に延長されるように形成され、支持本体２１２と反射板２００との接触面を増加させる。この際、支持本体２１２と第１固定部２１４は、逆Ｔ字形状を有するように形成される。又、支持本体２１２と第１固定部２１４は、第１乃至第３ランプ１１０、１２０、１３０の直径より大きい形成高さｈを有する。
【００３５】
又、第２固定部２１６は、第１固定部２１４の底面から所定長さで延長された固定ロッドである。ここで、第２固定部２１６の直径は、反射板２００に形成された第１貫通ホール２０２とボトムシャーシ５００に形成された第２貫通ホール５０２の直径とほぼ同じなので、前記第２固定部２１６が前記第１及び第２貫通ホール２０２、５０２に挿入されると、第２固定部２１６は、前記反射板２００及び前記ボトムシャーシ５００に固定される。
【００３６】
従って、ランプ支持部材２１０ａ、２１０ｂ、２１０ｃは、第１及び第２貫通ホール２０２、５０２に順次に挿入される第２固定部２１４によって反射板２００及びボトムシャーシ５００に固定され、第１乃至第３ランプ１１０、１２０、１３０は、曲線部分が固定本体２１２のホール２１２ａに挿入されることによって固定される。
【００３７】
前記第２固定部２１６は、その中心線に関して対称とされた形状を有する矢の頭部の形状を有する離脱防止手段を更に含むことができる。従って、第２固定部２１６は、第１及び第２貫通ホール２０２、５０２に挿入された後、前記離脱防止手段によって反射板２００及びボトムシャーシ５００から離脱することが防止される。
【００３８】
又、第２固定部２１６はフック形状に形成して、これによりランプ支持部材２１０ａ、２１０ｂ、２１０ｃを反射板２００及びボトムシャーシ５００に固定させることができる。
【００３９】
一方、ランプ支持部材２１０ａ、２１０ｂ、２１０ｃは、反射板２００に接する接着面に設けられる両面接着テープ又は接着剤によって反射板２００に固定することができる。
【００４０】
前記したような機能を発揮する構成を有したランプ支持部材２１０ａ、２１０ｂ、２１０ｃは、上述したもの以外にも多様な形態で構成することができる。
【００４１】
図４は、図１に図示されたランプ支持部材の他の形状を一例として示す図である。
【００４２】
図４に示すように、ランプ支持部材２５０は所定厚さを有し、長方形形状を有するように形成された支持本体２２２、支持本体２２２の上面一側に形成され、第１乃至第３ランプ１１０、１２０、１３０の円周面のうちの一部に結合されるランプホルダー２２４、支持本体２２２の上面他側に形成された支持ホーン２２６、及び支持本体２２２の背面から突出され支持本体２２２を反射板２００及びボトムシャーシ５００に固定させる固定部２１８を含む。
【００４３】
ここで、ランプホルダー２２４は、第１乃至第３ランプ１１０、１２０、１３０が移動しないように固定させる役割を行う。前記支持本体２２２及び固定部２２８は、ランプホルダー２２４を反射板２００及びボトムシャーシ５００に固定させる役割を果たす。
【００４４】
又、支持ホーン２２６は所定高さを有するように形成され、第１カバー部材６００によって加わる衝撃を緩和させて、第１乃至第３ランプ１１０、１２０、１３０が破損されることを防止する。
【００４５】
一方、ランプ支持部材２５０は、第１乃至第３ランプ１１０、１２０、１３０の曲線部分のみならず、第１乃至第３ランプ１１０、１２０、１３０の直線部分にも設けられる。このように、ランプ支持部材２５０のランプホルダー２２４は、第１乃至第３ランプ１１０、１２０、１３０を固定させ、支持ホーン２２６は第１乃至第３ランプ１１０、１２０、１３０の上部に位置する拡散板４００と第１乃至第３ランプ１１０、１２０、１３０との間隔を一定に維持させる。
【００４６】
図１を更に参照すると、第１カバー部材６００はランプユニット１００の一側に設けられ、第２カバー部材６１０は前記一側に対向する他側に設けられる。
【００４７】
即ち、第１カバー部材６００は、第１乃至第３ランプ１１０、１２０、１３０の曲線部分に対応する領域に設けられ、第２カバー部材６１０は、第１乃至第３ランプ１１０、１２０、１３０のホット電極及びコールド電極に対応する領域に設けられる。
【００４８】
前記第１カバー部材６００は、所定の収納空間を有するように内部が空いている長方形形状を有する。即ち、第１カバー部材６００の断面は「ロ」字形状を有する。
【００４９】
又、第１カバー部材６００は、第１乃至第３ランプ１１０、１２０、１３０の曲線部分、即ち、最初の屈曲部分と最後の屈曲部分が挿入される第１挿入開口群６０５を含む。前記第１挿入開口６０５は、第１乃至第３ランプ１００、１２０、１３０個数の２倍に該当する６個の第１挿入開口６０５ａ、第２挿入開口６０５ｂ、第３挿入開口６０５ｃ、第４挿入開口６０５ｄ、第５挿入開口６０５ｅ、及び第６挿入開口６０５ｆを含む。
【００５０】
一方、第２カバー部材６１０も第１カバー部材６００と同じ形状を有する。即ち、第２カバー部材６１０は、所定の収納空間を有するように内部が空いている長方形形状を有し、断面は「ロ」字形状を有する。
【００５１】
又、第２カバー部材６１０は、第１乃至第３ランプ１１０、１２０、１３０の前記ホット電極及びコールド電極が挿入される第２挿入開口群６１５を含む。前記第２挿入開口群６１５は、第７挿入開口６１５ａ、第８挿入開口６１５ｂ、第９挿入開口６１５ｃ、第１０挿入開口６１５ｄ、第１１挿入開口６１５ｅ、及び第１２挿入開口６１５ｆを含む。
【００５２】
前記では第１及び第２カバー部材が設けられた場合を例として説明したが、第１カバー部材のみが設けられるか、又は第２カバー部材のみが設けられることもできる。
【００５３】
図５は、ランプの曲線部分が第１カバー部材に挿入された形状を示す斜視図である。又、図６は、ランプのホット電極及びコールド電極が第２カバー部材に挿入された形状を示す斜視図である。
【００５４】
図５及び図６を参照すると、第１カバー部材６００は、ランプユニット１００の一側に対応するボトムシャーシ５００の一辺に接するように設けられ、第２カバー部材６１０はランプユニット１００の他側に対応するボトムシャーシ５００の他辺に接するように設けられる。
【００５５】
前記第１カバー部材６００の第１乃至第６挿入開口６０５ａ、６０５ｂ、６０５ｃ、６０５ｄ、６０５ｅ、６０５ｆに第１乃至第３ランプ１１０、１２０、１３０の最初の屈曲部分と最後の屈曲部分が挿入される。これによって、第１乃至第３ランプ１１０、１２０、１３０の曲線部分が第１カバー部材６００の内部収納空間に収納される。
【００５６】
又、第１乃至第３ランプ１１０、１２０、１３０の曲線部分が第１カバー部材６００の内部収納空間に収納されることによって、前記曲線部分を固定させるランプ支持部材２１０ａ、２１０ｂ、２１０ｃも第１カバー部材６００の内部収納空間に位置する。
【００５７】
このように、第１乃至第３ランプ１１０、１２０、１３０の前記曲線部分が第１カバー部材６００の内部収納空間に位置するので、６個の一文字型ランプが同じ間隔に配列された形状と同じ外観を有することになる。
【００５８】
ここで、第１乃至第３ランプ１１０、１２０、１３０の形成間隔は約２０．６ｍｍであり、各ランプのホット電極及びコールド電極が形成された一端と他端との間隔も約２０．６ｍｍである。従って、本発明の第１実施例は、６個の一文字型ランプが約２０．６ｍｍ間隔に配列された形状を有する。
【００５９】
このように、第１乃至第３ランプ１１０、１２０、１３０の曲線部分を第１カバー部材６００の内部収納空間に位置させて、前記曲線部分が外部に露出されないようにする理由は、前記曲線部分で発生された光による、他よりも明るい輝度むらが発生することを防止するためである。
【００６０】
又、ランプ支持部材２１０ａ、２１０ｂ、２１０ｃは、第１乃至第３ランプ１１０、１２０、１３０の曲線部分が第１カバー部材６００の内部収納空間に位置するので、第１カバー部材６００を介して加わる衝撃によって第１乃至第３ランプ１１０、１２０、１３０が破損されることを防止するために、図３のように、第１乃至第３ランプ１１０、１２０、１３０の直径より長い所定高さｈを有して形成される。
【００６１】
一方、第２カバー部材６１０の第７乃至第１２挿入開口６１５ａ、６１５ｂ、６１５ｃ 、６１５ｄ、６１５ｅ、６１５ｆにも第１乃至第３ランプ１１０、１２０、１３０のホット電極及びコールド電極が挿入される。即ち、第７及び第８挿入開口６１５ａ、６１５ｂには、第１ランプ１１０の第１及び第２ランプホルダー１１２、１１４が挿入され、第９及び第１０挿入開口６１５ｃ、６１５ｄには、第２ランプ１２０の第３及び第４ランプホルダー１２２、１２４が挿入される。前記第１１及び第１２挿入開口６１５ｅ、６１５ｆには、第３ランプ１３０の第５及び第６ランプホルダー１３２、１３４が挿入される。
【００６２】
又、ボトムシャーシ５００の一側辺の内部には、第１インバータ５５０、第２インバータ５６０、及び第３インバータ５７０が設けられる。即ち、第１乃至第３ランプ１１０、１２０、１３０のホット電極及びコールド電極が隣接した側の側辺内部には、第１乃至第３インバータ５５０、５６０、５７０が設けられる。
【００６３】
前記第１インバータ５５０は、第１ランプ１１０のホット電極及びコールド電極に連結された第１及び第２ランプワイヤー１１６、１１８に連結され、第２インバータ５６０は、第２ランプ１２０のホット電極及びコールド電極に連結された第３及び第４ランプワイヤー１２６、１２８に連結される。また、第３インバータ５７０は、第３ランプ１３０のホット電極及びコールド電極に連結された第５及び第６ランプワイヤー１３６、１３８に連結される。
【００６４】
従って、第１インバータ５５０は第１ランプ１１０に所定の電源電圧を印加し、第２インバータ５６０は第２ランプ１２０に所定の電源電圧を印加し、第３インバータ５７０は第３ランプ１３０に所定の電源電圧を印加する。
【００６５】
ここで、第１乃至第３インバータ５５０、５６０、５７０は、第１乃至第３ランプ１１０、１２０、１３０のホット電極に電源電圧を印加し、コールド電極にはグラウンド電圧を印加する。一方、第１乃至第３インバータ５５０、５６０、５７０は、第１乃至第３ランプ１１０、１２０、１３０のホット電極及びコールド電極に正極性電圧及び負極性電圧をそれぞれ印加するようにすることもできる。
【００６６】
前記したように、６個の一文字型ランプのような形状を有する第１乃至第３ランプ１１０、１２０、１３０に電源電圧を印加するインバータは３個である。従って、本発明は、従来の６個のランプに電源電圧を印加する６個のインバータと比較して、半分である３個でインバータの個数を減少させることができる。
【００６７】
図１を更に参照すると、拡散板４００は第１乃至第３ランプ１１０、１２０、１３０の上部に設けられ、第１乃至第３ランプ１１０、１２０、１３０から発生された光を拡散させる。
【００６８】
前記ボトムシャーシ５００は、反射板２００、ランプユニット１００、及び拡散板４００を収納する。ここで、ボトムシャーシ５００は、ランプ支持部材２１０ａ、２１０ｂ、２１０ｃの第２固定部２１６が挿入される第２貫通ホール５０２を含む。
【００６９】
一方、前記拡散板４００の上部には、拡散板４００から出力された光を更に拡散する拡散シートと、正面輝度を向上させるための少なくとも１枚以上の集光シートを含む光学シート類を更に設けることができる。
【００７０】
前記モールドフレーム３００は、前記拡散板４００の上部に設けられ拡散板４００をボトムシャーシ５００側に加圧し、上部に位置される表示パネル（図示せず）を位置決めかつ支持する。
【００７１】
前記において、本発明の第１実施例では、ランプユニット１００とボトムシャーシ５００との間に反射板２００が設けられた場合を例として説明したが、ボトムシャーシ５００の内部に漏洩光を反射させる反射物質を形成して、反射板２００の機能を代理することができる。この際、ランプ支持部材２１０ａ、２１０ｂ、２１０ｃはボトムシャーシ５００に固定される。
【００７２】
一方、本発明の第１実施例では、第１及び第２カバー部材６００、６１０がモールドフレーム３００と別に設けられた場合を例として説明したが、第１及び第２カバー部材６００、６１０がモールドフレーム３００と一体で形成されるようにすることもできる。
【００７３】
即ち、モールドフレーム３００の一側に第１乃至第３ランプ１１０、１２０、１３０の曲線部分が挿入される挿入開口を形成し、他側に第１乃至第３ランプ１１０、１２０、１３０のホット電極及びコールド電極が挿入される挿入開口を形成する。これによって、モールドフレーム３００に第１及び第２カバー部材６００、６１０の機能を付加することができる。
【００７４】
（第２実施例）
図７は、本発明の第２実施例によるバックライトアセンブリの分解斜視図である。ここで、本発明の第１実施例と同じ構成要素には、同じ参照番号を付与する。
【００７５】
図７に示すように、本発明の第２実施例によるバックライトアセンブリは、ランプユニット７００、ランプユニット７００の下部に設けられ、ランプユニット７００を固定させる反射板８００、反射板８００及びランプユニット７００を収納するボトムシャーシ１０００、ランプユニット１０００の上部に設けられ、ランプユニット７００から発生された光を拡散させる拡散板４００、及び拡散板４００の上部に設けられるモールドフレーム３００を含む。
【００７６】
又、本発明の第２実施例によるバックライトアセンブリは、ランプユニット７００の一側に対応する領域に設けられる第１カバー部材９００、及び前記一側に対向する他側に設けられる第２カバー部材９１０を更に含む。即ち、第１カバー部材９００はボトムシャーシ１０００の第１短辺に接するように設けられ、第２カバー部材９１０はボトムシャーシ１０００の前記第１短辺に対向する第２短辺に接するように設けられる。
【００７７】
ここで、ランプユニット７００は、第１カバー部材９００にホット電極及びコールド電極（図示せず）が挿入される第１ランプ群７００ａ及び第２カバー部材９１０にホット電極及びコールド電極が挿入される第２ランプ群７００ｂを含む。
【００７８】
前記第１ランプ群７００ａは、第１ランプ７１０、第２ランプ７２０、及び第３ランプ７３０を含み、第２ランプ群７００ｂは、第４ランプ７４０、第５ランプ７５０、及び第６ランプ７６０を含む。ここで、第１乃至第３ランプ７１０、７２０、７３０は、ホット電極及びコールド電極が同じ側に形成され、第４乃至第６ランプ７４０、７５０、７６０もホット電極及びコールド電極が同じ側に形成される。即ち、第１乃至第６ランプ７１０、７２０、７３０、７４０、７５０、７６０は、少なくとも２個以上の部分が屈曲されたＵ字又はＣ字形状を有するので、前記ホット電極及びコールド電極が同じ側に形成される。
【００７９】
又、第１乃至第３ランプ７１０、７２０、７３０は、ボトムシャーシ底面に沿ってＸ軸方向に並列に配列され、第４乃至第６ランプ７４０、７５０、７６０も前記Ｘ軸方向に並列に配列される。又、第１乃至第３ランプ７１０、７２０、７３０と第４乃至第６ランプ７４０、７５０、７６０は、前記Ｘ軸に垂直であるＹ軸に関し対称となるように配列される。
【００８０】
前記第１カバー部材９００は、第１乃至第３ランプ７１０、７２０、７３０のホット電極及びコールド電極が挿入される第１挿入開口群９０５を含む。ここで、第１挿入開口群９０５は、第１挿入開口９０５ａ、第２挿入開口９０５ｂ、第３挿入開口９０５ｃ、第４挿入開口９０５ｄ、第５挿入開口９０５ｅ、及び第６挿入開口９０５ｆを含む。
【００８１】
又、第２カバー部材９１０は、第４乃至第６ランプ７４０、７５０、７６０のホット電極及びコールド電極が挿入される第２挿入開口群９１５を含む。ここで、第２挿入開口群９１５は、第７挿入開口９１５ａ、第８挿入開口９１５ｂ、第９挿入開口９１５ｃ、第１０挿入開口９１５ｄ、第１１挿入開口９１５ｅ、及び第１２挿入開口９１５ｆを含む。
【００８２】
ここで、第１及び第２カバー部材９００、９１０の詳細構成は、本発明の第１実施例と同じなので、これについての重複説明は省略する。
【００８３】
又、ボトムシャーシ１０００の第１カバー部材９００が接する第１短辺内部には、第１乃至第３ランプ７１０、７２０、７３０のそれぞれに電源電圧を提供するインバータ（図示せず）が設けられ、前記第２カバー部材９１０が接する第２短辺内部には、第４乃至第６ランプ７４０、７５０、７６０のそれぞれに電源電圧を提供するインバータ（図示せず）が設けられる。
【００８４】
前記反射板８００上には、第１乃至第６ランプ７１０、７２０、７３０、７４０、７５０、７６０の曲線部分に対応する領域に設けられ、第１乃至第６ランプ７１０、７２０、７３０、７４０、７５０、７６０の移動を防止するランプ支持部材８１０ａ、８１０ｂ、８１０ｃ、８２０ａ、８２０ｂ、８２０ｃが設けられる。ここで、ランプ支持部材８１０ａ、８１０ｂ、８１０ｃ、８２０ａ、８２０ｂ、８２０ｃは、ランプの設置個数と同じ個数である６個が設けられる。
【００８５】
又、ランプ支持部材８１０ａ、８１０ｂ、８１０ｃ、８２０ａ、８２０ｂ、８２０ｃのうち、３個８１０ａ、８１０ｂ、８１０ｃは、第１乃至第３ランプ７１０、７２０、７３０の曲線部分に対応する領域である第１列に設けられ、残り３個８２０ａ、８２０ｂ、８２０ｃは、第４乃至第６ランプ７４０、７５０、７６０の曲線部分に対応する領域である第２列に設けられる。ここで、前記第１列及び第２列はＸ軸に平行である。
【００８６】
前記ランプ支持部材８１０ａ、８１０ｂ、８１０ｃ、８２０ａ、８２０ｂ、８２０ｃは、第１実施例において用いた符号により説明すれば、支持本体２１２及び支持本体２１２に形成された固定部２１４を含む。この際、支持本体２１２、第１及び第２固定部２１４、２１６の詳細構成は、本発明の第１実施例と同じなので、これについての詳細な説明は省略する。
【００８７】
前記した構成を有するランプ支持部材８１０ａ、８１０ｂ、８１０ｃ、８２０ａ、８２０ｂ、８２０ｃは、第１乃至第６ランプ７１０、７２０、７３０、７４０、７５０、７６０の移動を防止するのみならず、拡散板４００の垂れを防止する。即ち、ランプ支持部材８１０ａ、８１０ｂ、８１０ｃ、８２０ａ、８２０ｂ、８２０ｃの支持本体２１２は、所定の形成高さｈを有するように形成される。ここで、形成高さｈは第１乃至第６ランプ７１０、７２０、７３０、７４０、７５０、７６０の直径より大きいので、第１乃至第６ランプ７１０、７２０、７３０、７４０、７５０、７６０の上部に設けられる拡散板４００とランプとの間隔を一定に維持する。
【００８８】
又、前記反射板９００と前記ボトムシャーシ１０００には、ランプ支持部材８１０ａ、８１０ｂ、８１０ｃ、８２０ａ、８２０ｂ、８２０ｃの第２固定部２１６が順次に挿入される第１貫通ホール（図示せず）及び第２貫通ホール１００２が形成される。
【００８９】
前記モールドフレーム３００は、拡散板４００の上部に設けられ拡散板４００をボトムシャーシ１０００側に密着させる。又、モールドフレーム３００は、上部に設けられる表示パネル（図示せず）を位置決め支持する。
【００９０】
ここで、反射板８００、ボトムシャーシ１０００、及びモールドフレーム３００の詳細構成は、本発明の第１実施例と同じなので、これについての詳細な説明は省略する。
【００９１】
（第３実施例）
図８は、本発明の第３実施例によるバックライトアセンブリの分解斜視図である。ここで、本発明の第１実施例と同じ構成要素には、同じ参照符号を付与する。
【００９２】
図８に示すように、本発明の第３実施例によるバックライトアセンブリは、ランプユニット１１００、ランプユニット１１００の下部に設けられ、ランプユニット１１００を固定させる反射板１２００、反射板１２００及びランプユニット１１００を収納するボトムシャーシ１３００、ボトムシャーシ１３００の第１長辺に接するように設けられる第１カバー部材１４００、前記第１長辺に対向するボトムシャーシ１３００の第２長辺に接するように設けられる第２カバー部材１４１０、ランプユニット１１００の上部に設けられる拡散板４００、及び拡散板４００の上部に設けられるモールドフレーム３００を含む。
【００９３】
ここで、ランプユニット１１００は、第１カバー部材１４００にホット電極及びコールド電極（図示せず）が挿入される第１ランプ群及び第２カバー部材１４１０にホット電極及びコールド電極が挿入される第２ランプ群を含む。
【００９４】
前記第１ランプ群は、第１ランプ１１１０、第２ランプ１１２０、第３ランプ１１３０、第４ランプ１１４０、及び第５ランプ１１５０を含み、第２ランプ群は、第６ランプ１１６０、第７ランプ１１７０、第８ランプ１１８０、第９ランプ１１９０、及び第１０ランプ１１９５を含む。ここで、第１乃至第１０ランプ１１１０、１１２０、１１３０、．．．、１１９５は、前記ホット電極及びコールド電極が同じ側に形成される。即ち、第１乃至第１０ランプ１１１０、１１２０、１１３０、．．．、１１９５は、少なくとも２個以上の部分が屈曲されたＵ字又はＣ字形状を有するので、前記ホット電極及びコールド電極が同じ側に形成される。
【００９５】
又、第１乃至第５ランプ１１１０、１１２０、１１３０、１１４０、１１５０は、ボトムシャーシの底面に沿ってＹ軸方向（図７の矢印参照）に並列に配列され、第６乃至第１０ランプ１１６０、１１７０、１１８０、１１９０、１１９５も前記Ｙ軸方向に並列に配列される。又、第１乃至第５ランプ１１１０、１１２０、１１３０、１１４０、１１５０と第６乃至第１０ランプ１１６０、１１７０、１１８０、１１９０、１１９５は、前記Ｙ軸と垂直なＸ軸に関し対称となるように配列される。
【００９６】
前記第１カバー部材１４００は、第１乃至第５ランプ１１１０、１１２０、１１３０、１１４０、１１５０のホット電極及びコールド電極が挿入される第１挿入開口群１４０５が形成される。ここで、第１挿入開口群１４０５は、第１挿入開口１４０５ａ、第２挿入開口１４０５ｂ、第３挿入開口１４０５ｃ、第４挿入開口１４０５ｄ、第５挿入開口１４０５ｅ、第６挿入開口１４０５ｆ、第７挿入開口１４０５ｇ、第８挿入開口１４０５ｈ、第９挿入開口１４０５ｉ、及び第１０挿入開口１４０５ｊを含む。
【００９７】
又、第２カバー部材１４１０には、第６乃至第１０ランプ１１６０、１１７０、１１８０、１１９０、１１９５のホット電極及びコールド電極が挿入される第２挿入開口群１４１５が形成される。ここで、第２挿入開口群１４１５は、第１１挿入開口１４１５ａ、第１２挿入開口１４１５ｂ、第１３挿入開口１４１５ｃ、第１４挿入開口１４１５ｄ、第１５挿入開口１４１５ｅ、第１６挿入開口１４１５ｆ、第１７挿入開口１４１５ｇ、第１８挿入開口１４１５ｈ、第１９挿入開口１４１５ｉ、及び第２０挿入開口１４１５ｊを含む。
【００９８】
前記第１カバー部材１４００が接するボトムシャーシ１３００の第１長辺内部には、第１乃至第５ランプ１１１０、１１２０、１１３０、１１４０、１１５０のそれぞれに電源電圧を提供するインバータ（図示せず）が設けられる。又、第２カバー部材１４１０が接するボトムシャーシ１３００の第２長辺内部には、第６乃至第１０ランプ１１６０、１１７０、１１８０、１１９０、１１９５のそれぞれに電源電圧を提供するインバータ（図示せず）が設けられる。
【００９９】
前記反射板１２００は、第１乃至第１０ランプ１１１０、１１２０、１１３０、．．．、１１９５の下部に設けられ、第１乃至第１０ランプ１１１０、１１２０、１１３０、．．．、１１９５から漏洩した光を反射させるのみならず、第１乃至第１０ランプ１１１０、１１２０、１１３０、．．．、１１９５の移動を防止する。即ち、反射板１２００上には、第１乃至第１０ランプ１１１０、１１２０、１１３０、．．．、１１９５の曲線部分に対応する領域に、ランプ支持部材１２１０ａ、１２１０ｂ、１２１０ｃ、１２１０ｄ、１２１０ｅ、１２２０ａ、１２２０ｂ、１２２０ｃ、１２２０ｄ、１２２０ｅが設けられる。
【０１００】
ここで、ランプ支持部材１２１０ａ、１２１０ｂ、１２１０ｃ、１２１０ｄ、１２１０ｅ、１２２０ａ、１２２０ｂ、１２２０ｃ、１２２０ｄ、１２２０ｅは、第１乃至第１０ランプ１１１０、１１２０、１１３０、．．．、１１９５と同じ個数である１０個が設けられる。前記ランプ支持部材１２１０ａ、１２１０ｂ、１２１０ｃ、１２１０ｄ、１２１０ｅ、１２２０ａ、１２２０ｂ、１２２０ｃ、１２２０ｄ、１２２０ｅのうち、５個１２１０ａ、１２１０ｂ、１２１０ｃ、１２１０ｄ、１２１０ｅは、第１乃至第５ランプ１１１０、１１２０、１１３０、１１４０、１１５０の曲線部分に対応する反射板１２００領域に第１列に設けられ、残り５個１２２０ａ、１２２０ｂ、１２２０ｃ、１２２０ｄ、１２２０ｅは、第６乃至第１０ランプ１１６０、１１７０、１１８０、１１９０、１１９５の曲線部分に対応する反射板１２００領域に第２列に設けられる。ここで、前記第１列及び第２列はＹ軸に平行である。
【０１０１】
前記ランプ支持部材１２１０ａ、１２１０ｂ、１２１０ｃ、１２１０ｄ、１２１０ｅ、１２２０ａ、１２２０ｂ、１２２０ｃ、１２２０ｄ、１２２０ｅは、第１実施例において用いた符号により説明すれば、本発明の第１実施例のように、支持本体２１２及び支持本体２１２に形成された第１及び第２固定部２１４、２１６を含む。ここで、支持本体２１２、第１及び第２固定部２１４、２１６の詳細構成は、本発明の第１実施例と同じなので、これについての詳細な説明は省略する。
【０１０２】
前記した構成を有するランプ支持部材１２１０ａ、１２１０ｂ、１２１０ｃ、１２１０ｄ、１２１０ｅ、１２２０ａ、１２２０ｂ、１２２０ｃ、１２２０ｄ、１２２０ｅは、第２実施例のように、第１乃至第１０ランプ１１１０、１１２０、１１３０、．．．、１１９５の移動を防止するのみならず、拡散板４００の垂れを防止する。即ち、ランプ支持部材１２１０ａ、１２１０ｂ、１２１０ｃ、１２１０ｄ、１２１０ｅ、１２２０ａ、１２２０ｂ、１２２０ｃ、１２２０ｄ、１２２０ｅの支持本体２１２は、所定の形成高さｈ（図３参照）を有するように形成される。ここで、形成高さｈは、第１乃至第１０ランプ１１１０、１１２０、１１３０、．．．、１１９５の直径より大きいので、第１乃至第１０ランプ１１１０、１１２０、１１３０、．．．、１１９５の上部に設けられる拡散板４００とランプとの間隔を一定に維持する。
【０１０３】
又、前記反射板１２００と前記ボトムシャーシ１３００には、ランプ支持部材１２１０ａ、１２１０ｂ、１２１０ｃ、１２１０ｄ、１２１０ｅ、１２２０ａ、１２２０ｂ、１２２０ｃ、１２２０ｄ、１２２０ｅの第１及び第２固定部２１４、２１６が順次に挿入される第１貫通ホール（図示せず）及び第２貫通ホール１３０２が形成される。ここで、前記第１貫通ホールと第２貫通ホール１３０２は、ランプ支持部材と同じ個数で形成される。
【０１０４】
以上では、液晶表示装置に採用され光を出射するバックライトアセンブリの多様な例について説明したが、当業者なら別の人工光を出射する多様な光出射装置、例えば、屋外広告板の背面に採用されるバックライトアセンブリや、各種ランプユニット等にも適用することができることは容易に理解できよう。
【０１０５】
図９は、本発明の実施例による液晶表示装置の構成を詳細に示す分解斜視図である。
【０１０６】
図９に示すように、本発明の実施例による液晶表示装置は、ディスプレイユニット２０００及び図１と同じ構成を有するバックライトアセンブリ２１００を含む。ここで、ディスプレイユニット２０００は、液晶表示装置の画面を形成して画像を表示する液晶表示パネル２０１０、前記画像をディスプレイするためのデータ信号を提供するデータ印刷回路基板２０２０、画像をディスプレイするためのゲート駆動信号を提供するゲート印刷回路基板２０３０、データ印刷回路基板２０２０から入力されるデータ信号を液晶表示装置の水平ライン別に液晶表示パネル２０１０に提供するデータ駆動チップ２０４０、ゲート印刷回路基板２０３０から入力されるゲート駆動信号を液晶表示パネル２０１０に順次に提供するゲート駆動チップ２０５０を含む。
【０１０７】
ここで、液晶表示パネル２０１０は、前記画像がディスプレイされる有効ディスプレイ領域と前記有効ディスプレイ領域の外郭を囲む非有効ディスプレイ領域とに区分される。
【０１０８】
又、液晶表示パネル２０１０は、ＴＦＴ基板２０１４、ＴＦＴ基板２０１４と対向して具備され、カラーフィルター（図示せず）と共通電極（図示せず）が形成されたカラーフィルター基板２０１２及び前記ＴＦＴ基板２０１４とカラーフィルター基板２０１２との間に介在された液晶層（図示せず）で構成される。
【０１０９】
前記バックライトアセンブリ２１００は、ランプユニット１００、反射板２００、モールドフレーム３００、拡散板４００、ボトムシャーシ５００、第１カバー部材６００、及び第２カバー部材６１０を含む。これらは、本発明の第１実施例によるバックライトアセンブリと同じ構成を有するので、同じ参照番号を付与して説明する。
【０１１０】
前記第１及び第２カバー部材６００、６１０は、液晶表示パネル２０１０の前記非有効表示領域に対応するように設けられる。即ち、第１カバー部材６００は、ランプユニット１００の曲線部分に対応する領域に設けられ、第２カバー部材６１０は、ランプユニット１００のホット電極及びコールド電極に対応する領域に設けられる。
【０１１１】
従って、第１カバー部材６００の第１挿入開口群６０５に挿入される第１乃至第３ランプ１１０、１２０、１３０の曲線部分は前記非有効表示領域に位置し、第２カバー部材６１０の第２挿入開口群６１５に挿入される第１乃至第３ランプ１１０、１２０、１３０のホット電極及びコールド電極も前記非有効表示領域に位置する。
【０１１２】
前記反射板２００は、第１乃至第３ランプ１１０、１２０、１３０の曲線部分に対応する領域に、前記曲線部分を支持するランプ支持部材２１０ａ、２１０ｂ、２１０ｃを備えている。従って、ランプ支持部材２１０ａ、２１０ｂ、２１０ｃも第１カバー部材６００の内部収納空間に位置するので、前記非有効表示領域に存在する。
【０１１３】
このように構成されるバックライトアセンブリ２１００のモールドフレーム３００の上部に前記ディスプレイユニット２０００が設けられる。
【０１１４】
前記したように、本発明の実施例による液晶表示装置のバックライトアセンブリは、図１と同じ構成を有するので、これについての詳細な説明は省略する。
【０１１５】
本実施例では、図１に図示されたバックライトアセンブリを構成要素として含む液晶表示装置について説明したが、本発明による液晶表示装置は、前述した第２乃至第３の実施例によるバックライトアセンブリを構成要素として含むことができる。
【０１１６】
以上では、液晶表示装置を一つの例として説明したが、当業者なら別の人工光を採用して、画像を表示する多様な表示装置に適用することができることは容易に理解できよう。
【産業上の利用可能性】
【０１１７】
前述したように、本発明は、ホット電極及びコールド電極が同じ側に形成されるＵ次又はＣ字形状を有する複数のランプの曲線部分を固定するランプ支持部材を含む。
【０１１８】
又、前記複数のランプは、曲線部分がカバー部材によって外部に対し被覆されるように配列されるか、又はボトムシャーシ底面に沿ってＸ軸又はＹ軸を基準として対称となるように配列される。
【０１１９】
従って、本発明は、ランプ支持部材によって、一本で２個の一文字型ランプと同じ光を発生するＵ字又はＣ字型ランプが固定されるので、外部からの衝撃等によってランプが移動して輝度が変わったり、ランプ点灯に不良が生じたりするという問題点を解決することができ、バックライトアセンブリに対するユーザの信頼度を向上させることができる。
【０１２０】
又、本発明は、その１つの態様ではランプの曲線部分がカバー部材の内部収納空間に位置して外部に露出されないように構成されるので、前記曲線部分での他より明るい輝度むらの発生を防止することができ、表示品質を向上させることができる。
【０１２１】
又、本発明は、ランプ支持部材がランプ直径より大きい形成高さを有するので、ランプの上部に設けられる拡散板とランプとの間隔を一定に維持することができ、光の均一な輝度分布を確保することができる。
【０１２２】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１２３】
【図１】本発明の第１実施例によるバックライトアセンブリの分解斜視図である。
【図２】図１に示されたランプ支持部材を詳細に示す斜視図である。
【図３】図２のＩ−Ｉ’線に沿って切断した断面図である。
【図４】図１に示されたランプ支持部材の他の形状を一例として示す図である。
【図５】ランプの曲線部分が第１カバー部材に挿入された形状を示す斜視図である。
【図６】ランプのホット電極及びコールド電極が第２カバー部材に挿入された形状を示す斜視図である。
【図７】本発明の第２実施例によるバックライトアセンブリの分解斜視図である。
【図８】本発明の第３実施例によるバックライトアセンブリの分解斜視図である。
【図９】本発明の実施例による液晶表示装置の構成を詳細に示す分解斜視図である。
【符号の説明】
【０１２４】
１００    ランプユニット
２００    反射板
２１０ａ、２１０ｂ、２１０ｃ    ランプ支持部材
２１２    支持本体
２１２ａ    ホール
２１２ｂ    開口部
２１４    第１固定部
２１６    第２固定部
３００    モールドフレーム
４００    拡散板
５００    ボトムシャーシ
【図１】
0004676231.tif 000002
【図２】
0004676231.tif 000003
【図３】
0004676231.tif 000004
【図４】
0004676231.tif 000005
【図５】
0004676231.tif 000006
【図６】
0004676231.tif 000007
【図７】
0004676231.tif 000008
【図８】
0004676231.tif 000009
【図９】
0004676231.tif 000010